(57)【要約】 【課題】  傘使用時ならびに、傘非使用状態での移動時にも邪魔にならず、傘ストッパとして使用できるアクセサリ部材を提供する。【解決手段】  傘の柄を棚等に掛けておく際に、棚表面部に固着され柄の先端部を係止することができる平板状ストッパ部材と、上記平板状ストッパ部材が一端部に固定されたストラップ部と、上記ストラップ部の他端部に設けられた固定部とを備えている。【選択図】  図１
0003179296.tif 000002
【実用新案登録請求の範囲】
【請求項１】
傘の柄を棚等に掛けておく際に、棚表面部に固着され柄の先端部を係止することができる平板状ストッパ部材と、上記平板状ストッパ部材が一端部に固定されたストラップ部と、上記ストラップ部の他端部に設けられた固定部とを備えていることを特徴とするアクセサリ部材。
【請求項２】
上記平板状ストッパ部は、シリコンゴム製であることを特徴とする請求項１記載のアクセサリ部材。
【請求項３】
上記ストッパ部には中央部に係止凹部が形成されていることを特徴とする請求項２記載のアクセサリ部材。
【請求項４】
上記係止凹部は厚さ方向に貫通する孔部として形成されていることを特徴とする請求項３記載のアクセサリ部材。
【請求項５】
上記ストラップ部には、装飾品が固定されていることを特徴とする請求項１記載のアクセサリ部材。
【考案の詳細な説明】
【技術分野】
【０００１】
本考案はアクセサリ部材に関し、特に、傘を机、棚等に固定して掛けておけるアクセサリ部材に関する。
【背景技術】
【０００２】
従来より、傘を棚や机等の平板面部に掛けておく際に、柄の部分がずれて傘が落下してしまわないように、傘の柄の先端部を係止固定しておくことができる傘ストッパが提案されている（特許文献１）。
【０００３】
このような傘ストッパは、合成樹脂により形成されたストッパ本体部と、上記ストッパ本体部を傘の柄に係止するストラップ部とにより形成されている。上記ストッパ本体部は、接頭円錐状であって頂部に凹部が形成され、上記凹部に傘の柄の先端を係止させて傘をテーブル等に固定させるように構成されている。
【０００４】
しかしながら、このような従来の傘ストッパにあっては、上記ストッパ部本体部は接頭円錐状に形成されており、所定の厚さ寸法があることから、傘に取り付けた状態でも嵩張り、傘使用時には邪魔になることがあると共に、傘として使用していない状態で傘を保持して移動する際に同様に邪魔になる場合がある、という不具合があった。
【考案の開示】
【考案が解決しようとする課題】
【０００５】
本考案はこのような従来からの不具合を解決するためのものであって、その課題は、傘使用時ならびに、傘非使用状態での移動時にも邪魔にならず、傘ストッパとして使用できるアクセサリ部材を提供することにある。
【課題を解決するための手段】
【０００６】
上記課題達成のため、請求項１記載の考案にあっては、傘の柄を棚等に掛けておく際に、棚表面部に固着され柄の先端部を係止することができる平板状ストッパ部材と、上記平板状ストッパ部材が一端部に固定されたストラップ部と、上記ストラップ部の他端部に設けられた固定部とを備えていることを特徴とする。
【０００７】
請求項１記載の考案にあっては、傘の柄を棚等に掛けておく際には、平板状ストッパ部材を棚や机の表面部に配置し、平板状ストッパ部材に柄の先端部を係止する。
【０００８】
請求項２記載の考案にあっては、上記平板状ストッパ部は、シリコンゴム製であることを特徴とする。従って、上記平板状ストッパ部材はテーブル等の平面に密着する。
【０００９】
請求項３記載の考案にあっては、上記ストッパ部には中央部に係止凹部が形成されていることを特徴とする。従って、請求項３記載の考案にあっては、傘ストッパとして使用された場合には、傘の柄の先端部が上記係止凹部に係合して傘は固定される。
【００１０】
請求項４記載の考案にあっては、上記係止凹部は厚さ方向に貫通する孔部として形成されていることを特徴とする。従って、請求項４記載の考案にあっては、厚さ方向に貫通する孔部により係止凹部が形成されていることから、傘の柄の先端部は確実に係止される。
【００１１】
請求項５記載の考案にあっては、上記ストラップ部には、装飾品が固定されていることを特徴とする。
【考案の効果】
【００１２】
請求項１記載の考案にあっては、傘の柄を棚等に掛けておく際に、棚表面部に固着され柄の先端部を係止することができる平板状ストッパ部材と、上記平板状ストッパ部材が一端部に固定されたストラップ部と、上記ストラップ部の他端部に固定された固定部とを備え、傘の柄を棚、机等に掛けておく際には、平板状ストッパ部材を棚等の表面部に置き、平板状ストッパ部材に柄の先端部を係止させることから、従来とは異なり、ストッパ部材の厚さ寸法が小さく、傘使用時や、傘として使用せず保持して移動している場合等において、ストッパ部材が邪魔になることがなく、快適に使用することができる。
また、ストッパ部材の厚さ寸法が小さく形成されていることから、傘に使用しない際には、上記固定部による固定を解除することにより、他の日用品、例えば、携帯電話、スマートフォン、バッグ等に、固定部により固定しアクセサリ部材として使用することもできる。
【００１３】
請求項２記載の考案にあっては、上記平板状ストッパ部は、シリコンゴム製であって、テーブル等の平面に密着することから、傘の柄を係止させた場合に滑ることがなく、ストッパとしての使い勝手がよい。また、シリコンゴムは、耐熱性、耐水性、耐薬品性に優れていることから、長年に亘って使用することができる。
【００１４】
請求項３記載の考案にあっては、上記ストッパ部には中央部に係止凹部が形成され、傘ストッパとして使用された場合に、傘の柄の先端部が上記係止凹部に係合して傘は固定されるように構成されていることから、傘ストッパとして使いやすい。
【００１５】
請求項４記載の考案にあっては、上記係止凹部は厚さ方向に貫通する孔部として形成され、傘の柄の先端部は確実に係止されることから、傘を確実にテーブル等に固定することができる。
【００１６】
請求項５記載の考案にあっては、上記ストラップ部には、装飾品が固定されていることから、従来とは異なり、より趣向性に富むアクセサリを提供することができる。
【図面の簡単な説明】
【００１７】
【図１】本考案に係るアクセサリ部材の一実施の形態を示す平面図である。
【図２】本考案に係るアクセサリ部材が傘の柄に取り付けられ、平板状ストッパ部材がテーブル上において傘の柄の先端部を固定している状態を示す斜視図である。
【図３】本考案に係るアクセサリ部材をバッグのハンドル部に取り付けた状態を示す図である。
【図４】本考案に係るアクセサリ部材を携帯電話に取り付けた状態を示す図である。
【図５】本考案に係る他の実施の形態及び使用状態を示す斜視図である。
【図６】本考案に係る他の実施の形態及び使用状態を示す斜視図である。
【考案を実施するための最良の形態】
【００１８】
以下、添付図面に示す実施の形態に基づき、本考案を詳細に説明する。
図１に示すように、本実施の形態に係る傘ストッパ付きアクセサリ１０は、傘１１の柄１２を棚、テーブル等に掛けておく際に、棚、テーブル等の表面部１３に固着され傘１１の柄１２の先端部１６を係止することができる平板状ストッパ部材１７と、上記平板状ストッパ部材１７が一端部に固定されたストラップ部１８と、上記ストラップ部１８の他端部に固定された固定部１９とを備えている。
【００１９】
本実施の形態にあっては、上記ストラップ部１８は模造パールを３個連続して繋げて一ユニット２０とし、これらを接合部材２１で結合させて全体として紐状に形成している。ストラップ部材１７の一端部にはリング部材２２が固定され、リング部材２２には、フック部２３を介して平板状ストッパ部材１７が接続されている。同様に上記リング部材２２には取り付け用紐２９を介して装飾品１５が接合されている。
【００２０】
一方、ストラップ部１８の他端部にはリング部材２４が固定され、リング部材２４には伸縮性ループ部材３０が固定されていると共に固定紐２５が円筒状固定部材２６を介して固定されている。
【００２１】
上記平板状ストッパ部材１７はシリコンゴム製である。上記ストッパ部材１７には中央部に係止凹部１４が形成されており、本実施の形態にあっては、上記係止凹部１４は厚さ方向に貫通する孔部として形成されている。
また、上記ストラップ部１８には、装飾品１５が固定されており、本実施の形態にあっては、蝶の形状に切り抜かれた合成樹脂板により構成されている。
【００２２】
従って、本実施の形態に係るアクセサリ部材１０を傘１１の柄１２に取り付けて傘ストッパとして使用する場合には、図２に示すように、上記伸縮性ループ部材３０を傘１１の柄１２に挿入して、適当な位置に固定し、平板状ストッパ部材１７をテーブル、棚等の平面部１３に載置固定し、中央の貫通孔部からなる係止凹部１４に柄１２の先端部を係止させる。
【００２３】
これにより、柄１２の先端部が平板状ストッパ部材１７に係止固定され、平板状ストッパ部材１７はシリコンゴム製であって、テーブル、棚等の表面に密着していることから、傘１１の柄１２を介して傘１１の重さが作用した場合であっても、平板状ストッパ部材１７は、滑ったりずれたりすることはなく、傘１１は確実にテーブル、棚等の表面部１３に固定され、落下することはない。
【００２４】
一方、傘１１に使用する必要のない場合には、本実施の形態に係るアクセサリ部材１０を様々な携帯品にアクセサリとしてつけることもできる。例えば図３に示すように、バッグ２７のハンドル部２８に固定してバッグのアクセサリとして使用することもできる。
【００２５】
また、図４に示すように、携帯電話、スマートフォン２８に取り付け、携帯電話、スマートフォン用のアクセサリとして使用することもできる。
【００２６】
図５は、本考案の他の実施の形態を示す。本実施の形態にあっては、傘１１の絵１２に設けられた固定金具３１に固定部としてのリング部材２４を介して固定されており、傘１１の専用部品として形成されている。傘１１の専用部品として使用された場合であっても、平板状ストッパ部材１７は全体として薄型に形成されていることから、傘１１の使用時及び傘１１として使用せずたたんで持ち運んでいる場合であっても、邪魔になることがなく快適な使用を確保することができる。
【００２７】
図６は、本考案のさらに他の実施の形態を示す。本実施の形態に係るアクセサリ部材１０は、平板状ストッパ部材１７と、ストラップ部１８と、ストラップ部１８の先端部に形成された固定部１９とにより構成されている。
ストラップ部１８は紐状部材により形成されていると共に、平板状ストッパ部材１７は、平面蝶々型に形成され、中央部には係止凹部１４が開設され、ストラップ部１８には、球状の固定用締め付け具３２が挿通されている。
【００２８】
本実施の形態に係るアクセサリ部材１０を傘に使用する場合には、固定部１９を傘１１の軸部３３に挿通させ、その後、固定用締め付け具３２をストラップ部１８に沿わせて軸部１１へ圧接させることにより、軸部１１へ固定して使用することができる。
アクセサリ部材１０を傘以外に使用する場合には、上記固定用締め付け具３２をストラップ部１８に沿って緩め、ストラップ部１８を柄１２から抜き取り、携帯電話、スマートフォン、バッグ等に固定してアクセサリとして使用することができる。
なお、上記各実施の形態にあっては、平板状ストッパ部材１７がシリコンゴム製の場合を例に説明したが、上記実施の形態に限定されず、アクリルゴム、ウレタンゴム等のシリコン以外の組成からなる各種合成ゴムであってもよく、また、ゴム以外であっても滑り止めの効果がある素材であれば採用することができる。
また、平板状ストッパ部材の平面形状については上記実施の形態に限定されない。
【産業上の利用可能性】
【００２９】
本考案は、広くアクセサリ部材に適用することができることから産業上の利用可能性を有している。
【符号の説明】
【００３０】
１０  アクセサリ部材
１１  傘
１２  柄
１３  表面部
１４  係止凹部
１５  装飾品
１６  先端部
１７  平板状ストッパ部材
１８  ストラップ部
１９  固定部    
２０  ユニット
２１  鎖
２２  リング部材
２３  フック部材
２４  リング部材
２５  固定紐
２６  円筒状固定部材
２７  バッグ
２８  ハンドル部
２９  取り付け用紐
３０  伸縮性ループ部材
３１  固定用金具
３２  固定用締め付け具
３３  軸部
【図１】
0003179296.tif 000003
【図２】
0003179296.tif 000004
【図３】
0003179296.tif 000005
【図４】
0003179296.tif 000006
【図５】
0003179296.tif 000007
【図６】
0003179296.tif 000008